(57)【要約】【課題】  エレベータかご上で作業する作業者の安全を確保する安全装置を提供する。【解決手段】  エレベータかご上の安全装置は、エレベータかご上に光線３を発光する発光装置１ａと、発光装置１ａから鏡７ａ，７ｂを経て入光する光線３を受光する受光装置１ｂとを備えている。受光装置１ｂからの信号は制御部１８に送られる。作業者９が光線３内に入ったとき、受光装置１ｂからの信号に基づいて制御部１８が検知する。【選択図】  図１
2005096891.tif 000002
【特許請求の範囲】
【請求項１】
エレベータかご上の安全装置において、
エレベータかご上に光線を発光する発光装置と、
発光装置からの光線を受光する受光装置と、
受光装置からの信号を受ける制御部とを備えたことを特徴とするエレベータかご上の安全装置。
【請求項２】
エレベータかご上に、発光装置からの光線を受光装置へ導く反射鏡を設けたことを特徴とする請求項１記載のエレベータかご上の安全装置。
【請求項３】
エレベータかご上に一対の反射鏡が設けられ、
各反射鏡は各々光線を９０°ずつ反射させることを特徴とする請求項２記載のエレベータかご上の安全装置。
【請求項４】
制御部にはスピーカが接続され、制御部は受光装置からの信号に基づいて光線が遮断された場合にスピーカを作動して警報を発することを特徴とする請求項１記載のエレベータかご上の安全装置。
【請求項５】
発光装置は複数本の光線を光し、
制御部は受光装置からの信号に基づいて、光線が遮断された時間および遮断された光線の本数に応じてエレベータかごの運転を停止することを特徴とする請求項１記載のエレベータかご上の安全装置。
【請求項６】
発光装置は複数本の光線を光し、
制御部は受光装置からの信号に基づいて、光線が遮断された時間および遮断された光線の本数に応じて遠隔監視装置から保守会社の監視センタにエレベータかご上の異常を知らせることを特徴とする請求項１記載のエレベータかご上の安全装置。
【発明の詳細な説明】
【技術分野】
【０００１】
本発明はエレベータかご上の安全装置に係り、とりわけエレベータかご上で作業する作業員の安全を効果的に図ることができるエレベータかご上の安全装置に関する。
【背景技術】
【０００２】
従来よりエレベータかご上には安全装置として、安全スイッチ、安全柵および安全帯の取付け金具等が設けられている。
【０００３】
エレベータかご上の作業者は、かご上での作業時、腰廻りに装着した安全帯の命綱をかご上の安全帯取付け金具に取付け落下防止を図っている。またかご上の安全スイッチを操作することにより、不用意な運転を防止している。またかご上作業者の作業範囲はかご上の安全柵により制御される。
【０００４】
上記のようにエレベータかご上の作業者の安全確保は、作業者自身の安全意識に委ねる事が殆どである。
【発明の開示】
【発明が解決しようとする課題】
【０００５】
かご上での作業時、作業者が誤ってかご上安全柵より体がはみ出た状態で運転した場合、検出する装置が無いのでつり合いおもりに体が接触したりして重大な事故につながる可能性がある。また一人作業中に事故が発生した場合、エレベータかご上は第３者から見えない所なので、発見するのが遅れる場合も予想される。
【０００６】
本発明はこのような点を考慮してなされたものであり、エレベータかご上での作業員の安全を効果的に図ることができるエレベータかご上の安全装置を提供することを目的とする。
【課題を解決するための手段】
【０００７】
本発明は、エレベータかご上の安全装置において、エレベータかご上に光線を発光する発光装置と、発光装置からの光線を受光する受光装置と、受光装置からの信号を受ける制御部とを備えたことを特徴とするエレベータかご上の安全装置である。
【０００８】
本発明は、エレベータかご上に、発光装置からの光線を受光装置へ導く反射鏡を設けたことを特徴とするエレベータかご上の安全装置である。
【０００９】
本発明は、エレベータかご上に一対の反射鏡が設けられ、各反射鏡は各々光線を９０°ずつ反射させることを特徴とするエレベータかご上の安全装置である。
【００１０】
本発明は、制御部にはスピーカが接続され、制御部は受光装置からの信号に基づいて光線が遮断された場合にスピーカを作動して警報を発することを特徴とするエレベータかご上の安全装置である。
【００１１】
本発明は、発光装置は複数本の光線を光し、制御部は受光装置からの信号に基づいて、光線が遮断された時間および遮断された光線の本数に応じてエレベータかごの運転を停止することを特徴とするエレベータかご上の安全装置である。
【００１２】
本発明は、発光装置は複数本の光線を光し、制御部は受光装置からの信号に基づいて、光線が遮断された時間および遮断された光線の本数に応じて遠隔監視装置から保守会社の監視センタにエレベータかご上の異常を知らせることを特徴とするエレベータかご上の安全装置である。
【発明の効果】
【００１３】
本発明によれば、エレベータ上で作業者が外方に出てしまった場合、発光装置からの光線が遮断されるので、受光装置によりこの光線の遮断を検出することができる。このため作業者の安全を図ることができる。
【発明を実施するための最良の形態】
【００１４】
以下、図面を参照して本発明の実施の形態について説明する。
【００１５】
図１乃至図３は、本発明によるエレベータかご上の安全装置の一実施の形態を示す図である。
【００１６】
図１乃至図３に示すように、エレベータかご４上には作業者９の安全を図るための安全装置が設けられている。
【００１７】
この安全装置はエレベータかご４上に設けられた安全柵１７と、エレベータかご４上に設けられた安全スイッチ６とを備えている。またエレベータかご４にはかご立枠２が設けられ、このかご立枠２上に安全装置として安全帯取付け金具１２ａ，１２ｂが設けられている。
【００１８】
このうち安全柵１７は、エレベータかご４上の周縁部に設けられている。さらにエレベータかご４上には、安全柵１７の外方に複数本の光線３を発光する多光軸発光装置１ａと、多光軸発光装置１ａからの光線３を受光する多光軸受光装置１ｂとが設けられている。
【００１９】
さらにエレベータかご４上には、かご４の隅部に一対の鏡７ａ，７ｂが設けられている。各鏡７ａ，７ｂは多光軸発光装置１ａから発光された光線３を９０°ずつ反射して多光軸受光装置１ｂへ案内するようになっている。
【００２０】
この場合、多光軸発光装置１ａからの光線３は安全柵１７の外方において、かご４上の外周に沿って走る。
【００２１】
また図１において、エレベータかご４に隣接してつり合いおもり５が設けられ、このつり合いおもり５はつり合いおもりガイドレール１６ａ，１６ｂに沿って移動するようになっている。さらにエレベータかご４はかごガイドレール１５ａ，１５ｂに沿って移動するようになっている。
【００２２】
またエレベータかご４には着床装置１３が設けられ、この着床装置１３は着床検出板１４に接近した場合に作動するようになっている。
【００２３】
ところで図３に示すように、多光軸受光装置１ｂは、運転制御回路１９と警報発報回路２０とを有する制御盤（制御部）１８に接続され、また制御盤１８の警報発報回路２０は遠隔監視装置２１に接続されている。
【００２４】
さらに遠隔監視装置２１は、一般電話回線２２を介して保守会社の監視センタ２３に接続されている。また制御盤１８の警報発報回路２０にはスピーカ８が接続され、このスピーカ８はエレベータかご４上に配置される。
【００２５】
次にこのような構成からなる本実施の形態の作用について説明する。
【００２６】
エレベータかご４上に作業者９が乗りかご４上で点検作業を行なう。この場合作業者９は安全帯１０を装着し、安全帯１０から延びる命綱１１を安全帯取付け金具１２ａ，１２ｂに固着する。
【００２７】
この間、多光軸発光装置１ａから発光された複数本の光線３が鏡７ａ，７ｂで反射されて、多光軸受光装置１ｂへ入る。
【００２８】
作業者９の作業中、作業者９または物が多光軸発光装置１ａから発光した光線３の間に入った場合、光線３が遮断され、多光軸受光装置１ｂからの検出信号が制御盤１８に入る。検出信号を受けた制御盤１８は、警報発報回路２０を作動してかご４上の作業者９にブザー８によりブザー鳴動による注意促進を行う。
【００２９】
また一定時間を経過しても多光軸受光装置１ｂが光線の遮断を検出し続ける時は、制御盤１８の運転制御回路１９にてエレベータかご４の運転を停止する。このとき、多くの光軸を１度に遮った時、制御回路１９は危険な状況と判断してエレベータかご４の運転を瞬時に停止する。
【００３０】
その後も継続して多光軸受光装置１ｂが光線の遮断を検出した場合は、制御盤１８の運転制御回路１９から遠隔監視装置２１を経て保守会社の監視センタ２３にかご４上の異常発報を出力する。
【００３１】
なお、本多光軸装置１ａ，１ｂはかご４上の安全スイッチ６と連動しており、点検モードの状態時のみ作動を行う。
【００３２】
以上のように本実施の形態によれば、エレベータかご４上の作業者９が何らかの理由で光線３からはみ出た場合、光線３が遮られ受光装置１ｂにより警報発報回路２０が動作を行ってブザー鳴動で注意を促す。その後も遮断検出が継続する場合は、運転停止を行うので、かご４上の作業者９の安全確保が飛躍的に向上する。またかご４上の作業者９がバランスを崩し、大きく光線３を遮った場合は、エレベータかご４の運転を瞬時に停止させるので重大事故が未然に防止できる。また検出継続時間が長くなったときは、保守会社の監視センタ２３にかご４上の異常が発報されるので、作業者９が万が一の事故等で動けなくなった時に早急な対応が可能となる。
【００３３】
なお本提案による安全装置はかご上の安全スイッチ６を点検モードにするだけで自動的に動作するので、作業者９のヒューマンエラー等の入れ忘れ、つけ忘れが無く確実にかご４上の作業位置の安全確保が可能となる。
【００３４】
なお、本実施の形態において、かご４上に多光軸装置１ａ，１ｂを設けてかご上作業者９の安全を確保したが、エレベータ昇降路ピットに多光軸装置１ａ，１ｂを設け、鏡７ａ，７ｂで屈曲させることによりつり合いおもり、隣接するエレベータかごとの接触事故を防止することもできる。
【図面の簡単な説明】
【００３５】
【図１】本発明のエレベータかご上の安全装置の一実施の形態を示す平面図である。
【図２】本発明のエレベータかご上の安全装置の一実施の形態を示す側面図である。
【図３】エレベータかご上の安全装置を示すブロック図である。
【符号の説明】
【００３６】
１ａ  多光軸発光装置
１ｂ  多光軸受光装置
３  光線
４  エレベータかご
５  つり合いおもり
６  安全スイッチ
７ａ  鏡
７ｂ  鏡
８  スピーカ
９  作業者
１０  安全帯
１１  命綱
１２ａ  安全帯取付け金具
１２ｂ  安全帯取付け金具
１７  安全柵
１８  制御盤
１９  運転制御回路
２０  警報発報回路
２１  遠隔監視装置
２２  一般電話回線
２３  監視センタ
【図１】
2005096891.tif 000003
【図２】
2005096891.tif 000004
【図３】
2005096891.tif 000005